【手続補正書】
【提出日】平成28年10月12日(2016.10.12)
【手続補正１】
【補正対象書類名】特許請求の範囲
【補正対象項目名】全文
【補正方法】変更
【補正の内容】
【特許請求の範囲】
【請求項１】
マルチアップリンク対応のユーザ機器（ＵＥ）によるワイヤレス通信の方法であって、
前記ＵＥにおいて、複数のコンポーネントキャリア（ＣＣ）を介して前記ＵＥとマルチフロー通信する複数のノードのための複数のアップリンク制御チャネル送信を準備することと、ここで、前記複数のノードは、前記ＵＥと通信するためのプライマリセルを有する第１のノードと、前記ＵＥと通信するためのセカンダリセルを有する第２のノードとを備え、ここにおいて、前記複数のアップリンク制御チャネル送信の各々は、対応するノードに関連付けられた前記複数のＣＣのうちの１つのＣＣ上の前記複数のノードのうちの前記対応するノードのために構成される、
前記セカンダリセル上で送信電力制御コマンドを受信することと、ここにおいて、前記送信電力制御は、前記第２のノードからのダウンリンク制御情報メッセージ内で受信される、
前記送信電力制御コマンドに従って前記第２のノードに前記複数のアップリンク制御チャネル送信のうちの１つのアップリンク制御チャネル送信を送信することと
を備える、方法。
【請求項２】
前記送信電力制御コマンドが、ダウンリンク許可において前記第２のノードから受信される、請求項１に記載の方法。
【請求項３】
前記マルチフロー通信のためのＲＲＣ構成に従って、前記セカンダリセルのための電力制御コマンドとして、前記ダウンリンク許可のビットを解釈することをさらに備える、請求項２に記載の方法。
【請求項４】
前記ダウンリンク許可とともに使用されるダウンリンク制御情報のフォーマットに割り振られたビットに加えて、前記ＵＥとマルチフロー通信する前記セカンダリセルのための前記送信電力制御コマンドが、前記ダウンリンク制御情報メッセージに含まれる、請求項１に記載の方法。
【請求項５】
ワイヤレス通信の方法であって、
ユーザ機器（ＵＥ）において、２つ以上のコロケートされていないノードに対するマルチフローアップリンク送信のために複数のアップリンク制御チャネル送信と１つまたは複数のアップリンク共有チャネル送信とを準備することと、
前記ＵＥにおいて、前記ＵＥが電力制限されていると決定することと、
前記複数のアップリンク制御信号送信にわたる電力割振りの適用が、前記１つまたは複数のアップリンク共有チャネル送信にわたる前記電力割振りの適用よりも優先される優先順位付けに従って、前記ＵＥの前記電力割振りを適用することとを
備える、方法。
【請求項６】
ワイヤレス通信の方法であって、
ユーザ機器（ＵＥ）により、前記ＵＥのマルチプルアップリンク能力を報告することと、
１つまたは複数のタイミング調整グループ（ＴＡＧ）に属する１つまたは複数のコロケートされていないノードのためのマルチフローアップリンク送信を前記ＵＥが行うための構成を受信することと、ここにおいて、前記１つまたは複数のコロケートされていないノードの各々が、前記１つまたは複数のＴＡＧのうちの別々のＴＡＧに属する、
を備える、方法。
【請求項７】
ワイヤレス通信の方法であって、
ユーザ機器（ＵＥ）により、前記ＵＥとマルチフロー通信する複数のコロケートされていないノードの各々についての複数のサウンディング基準信号（ＳＲＳ）を生成することと、
前記ＵＥにおいて、前記ＵＥがシングルアップリンク能力を有すると決定することと、
前記複数のコロケートされていないノードの各々についてのセル識別子（ＩＤ）を識別することと、
前記複数のＳＲＳのうちの２つ以上のＳＲＳの衝突が検出されたサブフレームにおいて前記セルＩＤにしたがって前記複数のＳＲＳの送信に優先順位を付けることと
を備える、方法。
【請求項８】
ワイヤレス通信の方法であって、
複数のコロケートされていないノードとのマルチフロー動作のために構成されたユーザ機器（ＵＥ）において、前記複数のコロケートされていないノードのうちのセカンダリノードについての電力ヘッドルーム報告を準備することと、ここにおいて、前記電力ヘッドルーム報告は、前記セカンダリノードに対するアップリンク制御信号送信に割り振られた第１の送信電力とアップリンク共有チャネル送信に割り振られた第２の送信電力とを引いた前記セカンダリノードのための前記ＵＥの最大許容送信電力を含む、
前記セカンダリノードに前記電力ヘッドルーム報告を送信することと
を備える、方法。
【請求項９】
ワイヤレス通信の方法であって、
複数のコロケートされていないノードのうちのセカンダリノードにおいて、前記複数のコロケートされていないノードとのマルチフロー動作のために構成されたサービスされるユーザ機器（ＵＥ）から電力ヘッドルーム報告を受信することと、ここにおいて、前記電力ヘッドルーム報告は、前記セカンダリノードに対するアップリンク制御信号送信に割り振られた第１の送信電力とアップリンク共有チャネル送信に割り振られた第２の送信電力とを引いた前記ＵＥの最大許容送信電力を含む、
前記セカンダリノードにおいて、前記電力ヘッドルーム報告に基づいて前記サービスされるＵＥとの通信をスケジュールすることと
を備える、方法。
【請求項１０】
ワイヤレス通信の方法であって、
複数のコロケートされていないノードとのマルチフロー動作のために構成されたユーザ機器（ＵＥ）において、前記複数のコロケートされていないノードの１つまたは複数のセカンダリセルについての不連続受信（ＤＲＸ）サブフレームのセカンダリセットのための構成を受信することと、ここにおいて、１つまたは複数のセカンダリセルについてのＤＲＸサブフレームの前記セカンダリセットは、前記複数のコロケートされていないノードのプライマリセルのＤＲＸサブフレームのプライマリセットとは別である、
前記ＵＥにより、ＤＲＸサブフレームの前記セカンダリセットにしたがって前記ＵＥの１つまたは複数の無線をチューンアウェイすることと
を備える、方法。
【請求項１１】
ワイヤレス通信のために構成された装置であって、
ユーザ機器（ＵＥ）において、複数のコンポーネントキャリア（ＣＣ）を介して前記ＵＥと通信する複数のノードについての複数のアップリンク制御チャネル送信をコンパイルするための手段と、ここにおいて、前記複数のアップリンク制御チャネル送信の各々は、対応するノードに関連付けられた前記複数のＣＣのうちの１つのＣＣ上の前記複数のノードのうちの前記対応するノードのために構成される、
少なくとも１つのセカンダリセルから送信電力制御コマンドを受信するための手段と、ここにおいて、前記送信電力制御は、前記少なくとも１つのセカンダリセルからのダウンリンク制御情報メッセージ内で受信される、
前記送信電力制御コマンドに従って前記少なくとも１つのセカンダリセルに前記複数のアップリンク制御チャネル送信のうちの１つのアップリンク制御チャネル送信を送信するための手段と
を備える、装置。
【請求項１２】
前記送信電力制御コマンドが、前記ダウンリンク制御情報メッセージに割り振られた複数の既存ビットのサブセットを再利用する、請求項１１に記載の装置。
【請求項１３】
前記少なくとも１つのセカンダリセルが、無線リソース制御（ＲＲＣ）構成メッセージを使用して前記送信電力制御コマンドを送信するように構成された、請求項１１に記載の装置。
【請求項１４】
前記ダウンリンク制御情報メッセージに割り振られた既存ビットに加えて、前記送信電力制御コマンドが前記ダウンリンク制御情報メッセージに含まれる、請求項１１に記載の装置。
【請求項１５】
実行されたときに請求項１から請求項４までのいずれか一項に記載の方法を実施することを少なくとも１つのコンピュータに行わせる実行可能命令を備える、コンピュータプログラム。
【手続補正２】
【補正対象書類名】明細書
【補正対象項目名】０１２１
【補正方法】変更
【補正の内容】
【０１２１】
[00134]本開示の以上の説明は、いかなる当業者も本開示を作製または使用することが可能になるように提供される。本開示への様々な修正は当業者には容易に明らかとなり、本明細書で定義された一般原理は、本開示の趣旨または範囲から逸脱することなく、他の変形形態に適用される場合がある。したがって、本開示は、本明細書に記載された例および設計に限定されるものではなく、本明細書で開示された原理および新規の特徴に合致する最も広い範囲を与えられるべきである。
以下に、出願当初の特許請求の範囲に記載された発明を付記する。
［Ｃ１］
マルチアップリンク対応のユーザ機器（ＵＥ）によるワイヤレス通信の方法であって、
前記ＵＥにおいて、複数のコンポーネントキャリア（ＣＣ）を介して前記ＵＥとマルチフロー通信する複数のノード向けの複数のアップリンク制御チャネル送信を準備することと、ここで、前記複数のノードは、前記ＵＥと通信するためのプライマリセル（ＰＣｅｌｌ）を有する第１のノードと前記ＵＥと通信するためのセカンダリセル（ＳＣｅｌｌ）を有する第２のノードとを備える、ここにおいて、前記複数のアップリンク制御チャネル送信の各々は、対応するノードに関連付けられた前記複数のＣＣのうちの１つのＣＣ上の前記複数のノードのうちの前記対応するノードのために構成される、
前記ＳＣｅｌｌ上で送信電力制御コマンドを受信することと、ここにおいて、前記送信電力制御は、前記第２のノードからのダウンリンク制御情報メッセージ内で受信される、
前記送信電力制御コマンドに従って前記第２のノードに前記複数のアップリンク制御チャネル送信のうちの１つのアップリンク制御チャネル送信を送信することと
を備える、方法。
［Ｃ２］
前記送信電力制御コマンドが、ダウンリンク許可内の前記第２のノードから受信される、上記Ｃ１に記載の方法。
［Ｃ３］
前記マルチフロー通信のためのＲＲＣ構成に従って、前記ＳＣｅｌｌのための電力制御コマンドとして、前記ダウンリンク許可のビットを解釈することをさらに備える、上記Ｃ２に記載の方法。
［Ｃ４］
前記ダウンリンク許可とともに使用されるダウンリンク制御情報のフォーマットに割り振られたビットに加えて、前記ＵＥとマルチフロー通信する前記ＳＣｅｌｌのための前記送信電力制御コマンドが、前記ダウンリンク制御情報メッセージに含まれる、上記Ｃ１に記載の方法。
［Ｃ５］
ワイヤレス通信の方法であって、
ユーザ機器（ＵＥ）において、２つ以上のコロケートされていないノードに対するマルチフローアップリンク送信のために複数のアップリンク制御チャネル送信と１つまたは複数のアップリンク共有チャネル送信とを準備することと、
前記ＵＥにおいて、前記ＵＥが電力制限されていると決定することと、
前記複数のアップリンク制御信号送信にわたる電力割振りの適用が、前記１つまたは複数のアップリンク共有チャネル送信にわたる前記電力割振りの適用よりも優先される優先順位付けに従って、前記ＵＥの前記電力割振りを適用することとを
備える、方法。
［Ｃ６］
前記１つまたは複数のアップリンク共有チャネル送信のうちのアップリンク制御情報を搬送する送信にわたる前記電力割振りを、前記１つまたは複数のアップリンク共有チャネルのうちのアップリンク制御情報を搬送しない他の送信にわたる前記電力割振りを適用することよりも上の優先順位で適用することによって、前記１つまたは複数のアップリンク共有チャネル送信にわたる前記ＵＥの前記電力割振りの前記適用がさらに優先される、上記Ｃ５に記載の方法。
［Ｃ７］
前記複数のアップリンク制御信号送信、前記１つまたは複数のアップリンク共有チャネル送信、およびアップリンク制御情報を搬送する前記１つまたは複数のアップリンク共有チャネル送信にわたる前記ＵＥの前記電力割振りに前記優先順位を付けることが、前記ＵＥと通信するプライマリセルに対する送信に最も高い優先順位を割り当てる、上記Ｃ６に記載の方法。
［Ｃ８］
前記複数のアップリンク制御信号送信、前記１つまたは複数のアップリンク共有チャネル送信、およびアップリンク制御情報を搬送する前記１つまたは複数のアップリンク共有チャネル送信にわたる前記ＵＥの前記電力割振りに前記優先順位を付けることが、前記複数のアップリンク制御信号送信、前記１つまたは複数のアップリンク共有チャネル送信、およびアップリンク制御情報を搬送する前記１つまたは複数のアップリンク共有チャネル送信にわたる前記電力割振りをスケール変更する、上記Ｃ６に記載の方法。
［Ｃ９］
前記スケール変更が、
均一、または
加重
のうちの１つである、上記Ｃ８に記載の方法。
［Ｃ１０］
ワイヤレス通信の方法であって、
ユーザ機器（ＵＥ）により、前記ＵＥのマルチプルアップリンク能力を報告することと、
１つまたは複数のタイミング調整グループ（ＴＡＧ）に属する１つまたは複数のコロケートされていないノード向けのマルチフローアップリンク送信を前記ＵＥが行うための構成を受信することと、ここにおいて、前記１つまたは複数のコロケートされていないノードの各々が、前記１つまたは複数のＴＡＧのうちの別々のＴＡＧに属する、
を備える、方法。
［Ｃ１１］
ワイヤレス通信の方法であって、
ユーザ機器（ＵＥ）により、前記ＵＥとマルチフロー通信する複数のコロケートされていないノードの各々についての複数のサウンディング基準信号（ＳＲＳ）を生成することと、
前記ＵＥにおいて、前記ＵＥがシングルアップリンク能力を有すると決定することと、
前記複数のコロケートされていないノードの各々についてのセル識別子（ＩＤ）を識別することと、
前記複数のＳＲＳのうちの２つ以上のＳＲＳの衝突が検出されたサブフレームにおいて前記セルＩＤにしたがって前記複数のＳＲＳの送信に優先順位を付けることと
を備える、方法。
［Ｃ１２］
最も高い優先順位のセルＩＤを有する、前記複数のコロケートされていないノードのうちの優先されたセルについて前記複数のＳＲＳのうちの第１のＳＲＳを送信することと、
前記最も高い優先順位のセルＩＤよりも低い優先順位のセルＩＤを有する、前記複数のコロケートされていないノードのうちの残りのノードについて前記複数のＳＲＳのうちの残りのＳＲＳすべての送信を破棄することと
をさらに備える、上記Ｃ１１に記載の方法。
［Ｃ１３］
前記最も高い優先順位のセルＩＤが、前記複数のＳＲＳのうちの２つ以上のＳＲＳの衝突が検出された前記複数のコロケートされていないノードの中で最も低いセルＩＤに対応する、上記Ｃ１２に記載の方法。
［Ｃ１４］
ワイヤレス通信の方法であって、
複数のコロケートされていないノードとのマルチフロー動作のために構成されたユーザ機器（ＵＥ）において、前記複数のコロケートされていないノードのうちのセカンダリノードについての電力ヘッドルーム報告を準備することと、ここにおいて、前記電力ヘッドルーム報告は、前記セカンダリノードに対するアップリンク制御信号送信に割り振られた第１の送信電力とアップリンク共有チャネル送信に割り振られた第２の送信電力とを引いた前記セカンダリノードのための前記ＵＥの最大許容送信電力を含む、
前記セカンダリノードに前記電力ヘッドルーム報告を送信することと
を備える、方法。
［Ｃ１５］
前記セカンダリノードについての電力ヘッドルーム報告をコンパイルするために前記ＵＥを構成する無線リソース制御（ＲＲＣ）メッセージを受信すること
をさらに備える、上記Ｃ１４に記載の方法。
［Ｃ１６］
前記第１の送信電力が、シングルコンポーネントキャリア（ＣＣ）上の１つまたは複数のアップリンク制御信号送信に割り振られたアップリンク制御信号送信電力を備え、前記第２の送信電力が、前記シングルＣＣ上の１つまたは複数のアップリンク共有チャネル送信に割り振られたアップリンク共有チャネル送信電力を備える、上記Ｃ１４に記載の方法。
［Ｃ１７］
ワイヤレス通信の方法であって、
複数のコロケートされていないノードのうちのセカンダリノードにおいて、前記複数のコロケートされていないノードとのマルチフロー動作のために構成されたサービスされるユーザ機器（ＵＥ）から電力ヘッドルーム報告を受信することと、ここにおいて、前記電力ヘッドルーム報告は、前記セカンダリノードに対するアップリンク制御信号送信に割り振られた第１の送信電力とアップリンク共有チャネル送信に割り振られた第２の送信電力とを引いた前記ＵＥの最大許容送信電力を含む、
前記セカンダリノードにおいて、前記電力ヘッドルーム報告に基づいて前記サービスされるＵＥとの通信をスケジュールすることと
を備える、方法。
［Ｃ１８］
前記第１の送信電力が、シングルコンポーネントキャリア（ＣＣ）上の１つまたは複数のアップリンク制御信号送信に割り振られたアップリンク制御信号送信電力を備え、前記第２の送信電力が、前記シングルＣＣ上の１つまたは複数のアップリンク共有チャネル送信に割り振られたアップリンク共有チャネル送信電力を備える、上記Ｃ１７に記載の方法。
［Ｃ１９］
ワイヤレス通信の方法であって、
複数のコロケートされていないノードとのマルチフロー動作のために構成されたユーザ機器（ＵＥ）において、前記複数のコロケートされていないノードの１つまたは複数のセカンダリセルについての不連続受信（ＤＲＸ）サブフレームのセカンダリセットのための構成を受信することと、ここにおいて、１つまたは複数のセカンダリセルについてのＤＲＸサブフレームの前記セカンダリセットは、前記複数のコロケートされていないノードのプライマリセルのＤＲＸサブフレームのプライマリセットとは別である、
前記ＵＥにより、ＤＲＸサブフレームの前記セカンダリセットにしたがって前記ＵＥの１つまたは複数の無線をチューンアウェイすることと
を備える、方法。
［Ｃ２０］
ＤＲＸサブフレームの前記プライマリセットとは別のＤＲＸサブフレームの前記セカンダリセットが、ＤＲＸサブフレームの前記プライマリセットの拡張である、上記Ｃ１９に記載の方法。
［Ｃ２１］
ＤＲＸサブフレームの前記セカンダリセットが、
ＤＲＸサブフレームの前記プライマリセットのサブセット、または
ＤＲＸサブフレームの前記プライマリセットのスーパーセット
のうちの１つを備える、上記Ｃ２０に記載の方法。
［Ｃ２２］
ワイヤレス通信のために構成された装置であって、
ユーザ機器（ＵＥ）において、複数のコンポーネントキャリア（ＣＣ）を介して前記ＵＥとマルチフロー通信する複数のノードについての複数のアップリンク制御チャネル送信をコンパイルするための手段と、ここにおいて、前記複数のアップリンク制御チャネル送信の各々は、対応するノードに関連付けられた前記複数のＣＣのうちの１つのＣＣ上の前記複数のノードのうちの前記対応するノードのために構成される、
少なくとも１つのセカンダリセル（ＳＣｅｌｌ）から送信電力制御コマンドを受信するための手段と、ここにおいて、前記送信電力制御は、前記少なくとも１つのＳＣｅｌｌからのダウンリンク制御情報メッセージ内で受信される、
前記送信電力制御コマンドに従って前記少なくとも１つのＳＣｅｌｌに前記複数のアップリンク制御チャネル送信のうちの１つのアップリンク制御チャネル送信を送信するための手段と
を備える、装置。
［Ｃ２３］
前記送信電力制御コマンドが、前記ダウンリンク制御情報メッセージに割り振られた複数の既存ビットのサブセットを再利用する、上記Ｃ２２に記載の装置。
［Ｃ２４］
前記少なくとも１つのＳＣｅｌｌが、無線リソース制御（ＲＲＣ）構成メッセージを使用して前記送信電力制御コマンドを送信するように構成された、上記Ｃ２２に記載の装置。
［Ｃ２５］
前記ダウンリンク制御情報メッセージに割り振られた既存ビットに加えて、前記送信電力制御コマンドが前記ダウンリンク制御情報メッセージに含まれる、上記Ｃ２２に記載の装置。
［Ｃ２６］
ワイヤレス通信のために構成された装置であって、
ユーザ機器（ＵＥ）において、２つ以上のコロケートされていないノードに対するマルチフローアップリンク送信のために複数のアップリンク制御チャネル送信と１つまたは複数のアップリンク共有チャネル送信とを準備するための手段と、
前記ＵＥにおいて、前記ＵＥが電力制限されていると決定するための手段と、
前記複数のアップリンク制御信号送信にわたる電力割振りの適用が前記１つまたは複数のアップリンク共有チャネル送信にわたる前記電力割振りの適用よりも優先される優先順位付けに従って、前記ＵＥの前記電力割振りを適用するための手段とを
備える、装置。
［Ｃ２７］
前記１つまたは複数のアップリンク共有チャネル送信のうちのアップリンク制御情報を搬送する送信にわたる前記電力割振りを、前記１つまたは複数のアップリンク共有チャネルのうちのアップリンク制御情報を搬送しない他の送信にわたる前記電力割振りを適用することよりも上の優先順位で適用することによって、前記１つまたは複数のアップリンク共有チャネル送信にわたる前記ＵＥの前記電力割振りの前記適用がさらに優先される、上記Ｃ２６に記載の装置。
［Ｃ２８］
前記複数のアップリンク制御信号送信、前記１つまたは複数のアップリンク共有チャネル送信、およびアップリンク制御情報を搬送する前記１つまたは複数のアップリンク共有チャネル送信にわたる前記ＵＥの前記電力割振りに優先順位を付けるための前記手段が、前記ＵＥと通信するプライマリセルに対する送信に最も高い優先順位を割り当てる、上記Ｃ２７に記載の装置。
［Ｃ２９］
前記複数のアップリンク制御信号送信、前記１つまたは複数のアップリンク共有チャネル送信、およびアップリンク制御情報を搬送する前記１つまたは複数のアップリンク共有チャネル送信にわたる前記ＵＥの前記電力割振りに優先順位を付けるための前記手段が、前記複数のアップリンク制御信号送信、前記１つまたは複数のアップリンク共有チャネル送信、およびアップリンク制御情報を搬送する前記１つまたは複数のアップリンク共有チャネル送信にわたる前記電力割振りをスケール変更する、上記Ｃ２７に記載の装置。
［Ｃ３０］
スケール変更するための前記手段が、
均一、または
加重
のうちの１つである、上記Ｃ２９に記載の装置。
［Ｃ３１］
ワイヤレス通信のために構成された装置であって、
ユーザ機器（ＵＥ）により、前記ＵＥのマルチプルアップリンク能力を報告するための手段と、
１つまたは複数のタイミング調整グループ（ＴＡＧ）に属する１つまたは複数のコロケートされていないノード向けのマルチフローアップリンク送信を前記ＵＥが行うための構成を受信するための手段と、ここにおいて、前記１つまたは複数のコロケートされていないノードの各々が、前記１つまたは複数のＴＡＧのうちの別々のＴＡＧに属する、
を備える、装置。
［Ｃ３２］
ワイヤレス通信のために構成された装置であって、
ユーザ機器（ＵＥ）により、前記ＵＥとマルチフロー通信する複数のコロケートされていないノードの各々についての複数のサウンディング基準信号（ＳＲＳ）を生成するための手段と、
前記ＵＥにおいて、前記ＵＥがシングルアップリンク能力を有すると決定するための手段と、
前記複数のコロケートされていないノードの各々についてのセル識別子（ＩＤ）を識別するための手段と、
前記複数のＳＲＳのうちの２つ以上のＳＲＳの衝突が検出されたサブフレームにおいて前記セルＩＤにしたがって前記複数のＳＲＳの送信に優先順位を付けるための手段と
を備える、装置。
［Ｃ３３］
最も高い優先順位のセルＩＤを有する、前記複数のコロケートされていないノードのうちの優先されたセルについて前記複数のＳＲＳのうちの第１のＳＲＳを送信するための手段と、
前記最も高い優先順位のセルＩＤよりも低い優先順位のセルＩＤを有する、前記複数のコロケートされていないノードのうちの残りのノードについて前記複数のＳＲＳのうちの残りのＳＲＳすべての送信を破棄するための手段と
をさらに備える、上記Ｃ３２に記載の装置。
［Ｃ３４］
前記最も高い優先順位のセルＩＤが、前記複数のＳＲＳのうちの２つ以上のＳＲＳの衝突が検出された前記複数のコロケートされていないノードの中で最も低いセルＩＤに対応する、上記Ｃ３３に記載の装置。
［Ｃ３５］
ワイヤレス通信のために構成された装置であって、
複数のコロケートされていないノードとのマルチフロー動作のために構成されたユーザ機器（ＵＥ）において、前記複数のコロケートされていないノードのうちのセカンダリノードについての電力ヘッドルーム報告を準備するための手段と、ここにおいて、前記電力ヘッドルーム報告は、前記セカンダリノードに対するアップリンク制御信号送信に割り振られた第１の送信電力とアップリンク共有チャネル送信に割り振られた第２の送信電力とを引いた前記セカンダリノードのための前記ＵＥの最大許容送信電力を含む、
前記セカンダリノードに前記電力ヘッドルーム報告を送信するための手段と
を備える、装置。
［Ｃ３６］
前記セカンダリノードについての電力ヘッドルーム報告をコンパイルするために前記ＵＥを構成する無線リソース制御（ＲＲＣ）メッセージを受信するための手段
をさらに備える、上記Ｃ３５に記載の装置。
［Ｃ３７］
前記第１の送信電力が、シングルコンポーネントキャリア（ＣＣ）上の１つまたは複数のアップリンク制御信号送信に割り振られたアップリンク制御信号送信電力を備え、前記第２の送信電力が、前記シングルＣＣ上の１つまたは複数のアップリンク共有チャネル送信に割り振られたアップリンク共有チャネル送信電力を備える、上記Ｃ３５に記載の装置。
［Ｃ３８］
ワイヤレス通信の装置であって、
複数のコロケートされていないノードのうちのセカンダリノードにおいて、前記複数のコロケートされていないノードとのマルチフロー動作のために構成されたサービスされるユーザ機器（ＵＥ）から電力ヘッドルーム報告を受信するための手段と、ここにおいて、前記電力ヘッドルーム報告は、前記セカンダリノードに対するアップリンク制御信号送信に割り振られた第１の送信電力とアップリンク共有チャネル送信に割り振られた第２の送信電力とを引いた前記ＵＥの最大許容送信電力を含む、
前記セカンダリノードにおいて、前記電力ヘッドルーム報告に基づいて前記サービスされるＵＥとの通信をスケジュールするための手段と
を備える、装置。
［Ｃ３９］
前記第１の送信電力が、シングルコンポーネントキャリア（ＣＣ）上の１つまたは複数のアップリンク制御信号送信に割り振られたアップリンク制御信号送信電力を備え、前記第２の送信電力が、前記シングルＣＣ上の１つまたは複数のアップリンク共有チャネル送信に割り振られたアップリンク共有チャネル送信電力を備える、上記Ｃ３８に記載の装置。
［Ｃ４０］
ワイヤレス通信のために構成された装置であって、
複数のコロケートされていないノードとのマルチフロー動作のために構成されたユーザ機器（ＵＥ）において、前記複数のコロケートされていないノードの１つまたは複数のセカンダリセルについての不連続受信（ＤＲＸ）サブフレームのセカンダリセットのための構成を受信するための手段と、ここにおいて、１つまたは複数のセカンダリセルについてのＤＲＸサブフレームの前記セカンダリセットは、前記複数のコロケートされていないノードのプライマリセルのＤＲＸサブフレームのプライマリセットとは別である、
前記ＵＥにより、ＤＲＸサブフレームの前記セカンダリセットにしたがって前記ＵＥの１つまたは複数の無線をチューンアウェイするための手段と
を備える、装置。
［Ｃ４１］
ＤＲＸサブフレームの前記プライマリセットとは別のＤＲＸサブフレームの前記セカンダリセットが、ＤＲＸサブフレームの前記プライマリセットの拡張である、上記Ｃ４０に記載の装置。
［Ｃ４２］
ＤＲＸサブフレームの前記セカンダリセットが、
ＤＲＸサブフレームの前記プライマリセットのサブセット、または
ＤＲＸサブフレームの前記プライマリセットのスーパーセット
のうちの１つを備える、上記Ｃ４１に記載の装置。
［Ｃ４３］
ワイヤレスネットワーク内のワイヤレス通信のためのコンピュータプログラム製品であって、
プログラムコードを記録している非一時的コンピュータ可読媒体を備え、前記プログラムコードが、
ユーザ機器（ＵＥ）において、複数のコンポーネントキャリア（ＣＣ）を介して前記ＵＥとマルチフロー通信する複数のノードについての複数のアップリンク制御チャネル送信をコンパイルすることをコンピュータに行わせるためのプログラムコードと、ここにおいて、前記複数のアップリンク制御チャネル送信の各々は、対応するノードに関連付けられた前記複数のＣＣのうちの１つのＣＣ上の前記複数のノードのうちの前記対応するノードのために構成される、
少なくとも１つのセカンダリセル（ＳＣｅｌｌ）から送信電力制御コマンドを受信することを前記コンピュータに行わせるためのプログラムコードと、ここにおいて、前記送信電力制御は、前記少なくとも１つのＳＣｅｌｌからのダウンリンク制御情報メッセージ内で受信される、
前記送信電力制御コマンドに従って前記少なくとも１つのＳＣｅｌｌに前記複数のアップリンク制御チャネル送信のうちの１つのアップリンク制御チャネル送信を送信することを前記コンピュータに行わせるためのプログラムコードと
を含む、
コンピュータプログラム製品。
［Ｃ４４］
前記送信電力制御コマンドが、前記ダウンリンク制御情報メッセージに割り振られた複数の既存ビットのサブセットを再利用する、上記Ｃ４３に記載のコンピュータプログラム製品。
［Ｃ４５］
前記少なくとも１つのＳＣｅｌｌが、無線リソース制御（ＲＲＣ）構成メッセージを使用して前記送信電力制御コマンドを送信するように構成された、上記Ｃ４３に記載のコンピュータプログラム製品。
［Ｃ４６］
前記ダウンリンク制御情報メッセージに割り振られた既存ビットに加えて、前記送信電力制御コマンドが前記ダウンリンク制御情報メッセージに含まれる、上記Ｃ４３に記載のコンピュータプログラム製品。
［Ｃ４７］
ワイヤレスネットワーク内のワイヤレス通信のためのコンピュータプログラム製品であって、
プログラムコードを記録している非一時的コンピュータ可読媒体を備え、前記プログラムコードが、
ユーザ機器（ＵＥ）において、２つ以上のコロケートされていないノードに対するマルチフローアップリンク送信のために複数のアップリンク制御チャネル送信と１つまたは複数のアップリンク共有チャネル送信とを準備することをコンピュータに行わせるためのプログラムコードと、
前記ＵＥにおいて、前記ＵＥが電力制限されていると決定することを前記コンピュータに行わせるためのプログラムコードと、
前記複数のアップリンク制御信号送信にわたる電力割振りの適用が前記１つまたは複数のアップリンク共有チャネル送信にわたる前記電力割振りの適用よりも優先される優先順位付けに従って、前記ＵＥの前記電力割振りを適用することを前記コンピュータに行わせるためのプログラムコードと
を含む、
コンピュータプログラム製品。
［Ｃ４８］
前記１つまたは複数のアップリンク共有チャネル送信のうちのアップリンク制御情報を搬送する送信にわたる前記電力割振りを、前記１つまたは複数のアップリンク共有チャネルのうちのアップリンク制御情報を搬送しない他の送信にわたる前記電力割振りを適用することよりも上の優先順位で適用することによって、前記１つまたは複数のアップリンク共有チャネル送信にわたる前記ＵＥの前記電力割振りの前記適用がさらに優先される、上記Ｃ４７に記載のコンピュータプログラム製品。
［Ｃ４９］
前記複数のアップリンク制御信号送信、前記１つまたは複数のアップリンク共有チャネル送信、およびアップリンク制御情報を搬送する前記１つまたは複数のアップリンク共有チャネル送信にわたる前記ＵＥの前記電力割振りに前記優先順位を付けることが、前記ＵＥと通信するプライマリセルに対する送信に最も高い優先順位を割り当てる、上記Ｃ４８に記載のコンピュータプログラム製品。
［Ｃ５０］
前記複数のアップリンク制御信号送信、前記１つまたは複数のアップリンク共有チャネル送信、およびアップリンク制御情報を搬送する前記１つまたは複数のアップリンク共有チャネル送信にわたる前記ＵＥの前記電力割振りに前記優先順位を付けることが、前記複数のアップリンク制御信号送信、前記１つまたは複数のアップリンク共有チャネル送信、およびアップリンク制御情報を搬送する前記１つまたは複数のアップリンク共有チャネル送信にわたる前記電力割振りをスケール変更する、上記Ｃ４８に記載のコンピュータプログラム製品。
［Ｃ５１］
前記コンピュータにスケール変更させるための前記プログラムコードが、
均一、または
加重
のうちの１つである、上記Ｃ５０に記載のコンピュータプログラム製品。
［Ｃ５２］
ワイヤレスネットワーク内のワイヤレス通信のためのコンピュータプログラム製品であって、
プログラムコードを記録している非一時的コンピュータ可読媒体を備え、前記プログラムコードが、
ユーザ機器（ＵＥ）により、前記ＵＥのマルチプルアップリンク能力を報告することをコンピュータに行わせるためのプログラムコードと、
１つまたは複数のタイミング調整グループ（ＴＡＧ）に属する１つまたは複数のコロケートされていないノード向けのマルチフローアップリンク送信を前記ＵＥが行うための構成を受信することを前記コンピュータに行わせるためのプログラムコードと
を含み、ここにおいて、前記１つまたは複数のコロケートされていないノードの各々が、前記１つまたは複数のＴＡＧのうちの別々のＴＡＧに属する、
コンピュータプログラム製品。
［Ｃ５３］
ワイヤレスネットワーク内のワイヤレス通信のためのコンピュータプログラム製品であって、
プログラムコードを記録している非一時的コンピュータ可読媒体を備え、前記プログラムコードが、
ユーザ機器（ＵＥ）により、前記ＵＥとマルチフロー通信する複数のコロケートされていないノードの各々についての複数のサウンディング基準信号（ＳＲＳ）を生成することをコンピュータに行わせるためのプログラムコードと、
前記ＵＥにおいて、前記ＵＥがシングルアップリンク能力を有すると決定することを前記コンピュータに行わせるためのプログラムコードと、
前記複数のコロケートされていないノードの各々についてのセル識別子（ＩＤ）を識別することを前記コンピュータに行わせるためのプログラムコードと、
前記複数のＳＲＳのうちの２つ以上のＳＲＳの衝突が検出されたサブフレームにおいて前記セルＩＤにしたがって前記複数のＳＲＳの送信に優先順位を付けることを前記コンピュータに行わせるためのプログラムコードと
を含む、
コンピュータプログラム製品。
［Ｃ５４］
最も高い優先順位のセルＩＤを有する、前記複数のコロケートされていないノードのうちの優先されたセルについて前記複数のＳＲＳのうちの第１のＳＲＳを送信することを前記コンピュータに行わせるためのプログラムコードと、
前記最も高い優先順位のセルＩＤよりも低い優先順位のセルＩＤを有する、前記複数のコロケートされていないノードのうちの残りのノードについて前記複数のＳＲＳのうちの残りのＳＲＳすべての送信を破棄することを前記コンピュータに行わせるためのプログラムコードと
をさらに備える、上記Ｃ５３に記載のコンピュータプログラム製品。
［Ｃ５５］
前記最も高い優先順位のセルＩＤが、前記複数のＳＲＳのうちの２つ以上のＳＲＳの衝突が検出された前記複数のコロケートされていないノードの中で最も低いセルＩＤに対応する、上記Ｃ５４に記載のコンピュータプログラム製品。
［Ｃ５６］
ワイヤレスネットワーク内のワイヤレス通信のためのコンピュータプログラム製品であって、
プログラムコードを記録している非一時的コンピュータ可読媒体を備え、前記プログラムコードが、
複数のコロケートされていないノードとのマルチフロー動作のために構成されたユーザ機器（ＵＥ）において、前記複数のコロケートされていないノードのうちのセカンダリノードについての電力ヘッドルーム報告を準備することをコンピュータに行わせるためのプログラムコードと、ここにおいて、前記電力ヘッドルーム報告は、前記セカンダリノードに対するアップリンク制御信号送信に割り振られた第１の送信電力とアップリンク共有チャネル送信に割り振られた第２の送信電力とを引いた前記セカンダリノードのための前記ＵＥの最大許容送信電力を含む、
前記セカンダリノードに前記電力ヘッドルーム報告を送信することを前記コンピュータに行わせるためのプログラムコードと
を含む、
コンピュータプログラム製品。
［Ｃ５７］
前記セカンダリノードについての電力ヘッドルーム報告をコンパイルするために前記ＵＥを構成する無線リソース制御（ＲＲＣ）メッセージを受信することを前記コンピュータに行わせるためのプログラムコード
をさらに備える、上記Ｃ５６に記載のコンピュータプログラム製品。
［Ｃ５８］
前記第１の送信電力が、シングルコンポーネントキャリア（ＣＣ）上の１つまたは複数のアップリンク制御信号送信に割り振られたアップリンク制御信号送信電力を備え、前記第２の送信電力が、前記シングルＣＣ上の１つまたは複数のアップリンク共有チャネル送信に割り振られたアップリンク共有チャネル送信電力を備える、上記Ｃ５６に記載のコンピュータプログラム製品。
［Ｃ５９］
ワイヤレスネットワーク内のワイヤレス通信のためのコンピュータプログラム製品であって、
プログラムコードを記録している非一時的コンピュータ可読媒体を備え、前記プログラムコードが、
複数のコロケートされていないノードのうちのセカンダリノードにおいて、前記複数のコロケートされていないノードとのマルチフロー動作のために構成されたサービスされるユーザ機器（ＵＥ）から電力ヘッドルーム報告を受信することをコンピュータに行わせるためのプログラムコードと、ここにおいて、前記電力ヘッドルーム報告は、前記セカンダリノードに対するアップリンク制御信号送信に割り振られた第１の送信電力とアップリンク共有チャネル送信に割り振られた第２の送信電力とを引いた前記ＵＥの最大許容送信電力を含む、
前記セカンダリノードにおいて、前記電力ヘッドルーム報告に基づいて前記サービスされるＵＥとの通信をスケジュールすることを前記コンピュータに行わせるためのプログラムコードと
を含む、
コンピュータプログラム製品。
［Ｃ６０］
前記第１の送信電力が、シングルコンポーネントキャリア（ＣＣ）上の１つまたは複数のアップリンク制御信号送信に割り振られたアップリンク制御信号送信電力を備え、前記第２の送信電力が、前記シングルＣＣ上の１つまたは複数のアップリンク共有チャネル送信に割り振られたアップリンク共有チャネル送信電力を備える、上記Ｃ５９に記載のコンピュータプログラム製品。
［Ｃ６１］
ワイヤレスネットワーク内のワイヤレス通信のためのコンピュータプログラム製品であって、
プログラムコードを記録している非一時的コンピュータ可読媒体を備え、前記プログラムコードが、
複数のコロケートされていないノードとのマルチフロー動作のために構成されたユーザ機器（ＵＥ）において、前記複数のコロケートされていないノードの１つまたは複数のセカンダリセルについての不連続受信（ＤＲＸ）サブフレームのセカンダリセットのための構成を受信することをコンピュータに行わせるためのプログラムコードと、ここにおいて、１つまたは複数のセカンダリセルについてのＤＲＸサブフレームの前記セカンダリセットは、前記複数のコロケートされていないノードのプライマリセルのＤＲＸサブフレームのプライマリセットとは別である、
前記ＵＥにより、ＤＲＸサブフレームの前記セカンダリセットにしたがって前記ＵＥの１つまたは複数の無線をチューンアウェイすることを前記コンピュータに行わせるためのプログラムコードと
を含む、
コンピュータプログラム製品。
［Ｃ６２］
ＤＲＸサブフレームの前記プライマリセットとは別のＤＲＸサブフレームの前記セカンダリセットが、ＤＲＸサブフレームの前記プライマリセットの拡張である、上記Ｃ６１に記載のコンピュータプログラム製品。
［Ｃ６３］
ＤＲＸサブフレームの前記セカンダリセットが、
ＤＲＸサブフレームの前記プライマリセットのサブセット、または
ＤＲＸサブフレームの前記プライマリセットのスーパーセット
のうちの１つを備える、上記Ｃ６２に記載のコンピュータプログラム製品。
［Ｃ６４］
ワイヤレス通信用に構成された装置であって、前記装置が、
少なくとも１つのプロセッサと、
前記少なくとも１つのプロセッサに結合されたメモリと
を備え、
ここにおいて、前記少なくとも１つのプロセッサが、
ユーザ機器（ＵＥ）において、複数のコンポーネントキャリア（ＣＣ）を介して前記ＵＥとマルチフロー通信する複数のノードについての複数のアップリンク制御チャネル送信をコンパイルすることと、ここにおいて、前記複数のアップリンク制御チャネル送信の各々は、対応するノードに関連付けられた前記複数のＣＣのうちの１つのＣＣ上の前記複数のノードのうちの前記対応するノードのために構成される、
少なくとも１つのセカンダリセル（ＳＣｅｌｌ）から送信電力制御コマンドを受信することと、ここにおいて、前記送信電力制御は、前記少なくとも１つのＳＣｅｌｌからのダウンリンク制御情報メッセージ内で受信される、
前記送信電力制御コマンドに従って前記少なくとも１つのＳＣｅｌｌに前記複数のアップリンク制御チャネル送信のうちの１つのアップリンク制御チャネル送信を送信することと
を行うように構成される、
装置。
［Ｃ６５］
前記送信電力制御コマンドが、前記ダウンリンク制御情報メッセージに割り振られた複数の既存ビットのサブセットを再利用する、上記Ｃ６４に記載の装置。
［Ｃ６６］
前記少なくとも１つのＳＣｅｌｌが、無線リソース制御（ＲＲＣ）構成メッセージを使用して前記送信電力制御コマンドを送信するように構成された、上記Ｃ６４に記載の装置。
［Ｃ６７］
前記ダウンリンク制御情報メッセージに割り振られた既存ビットに加えて、前記送信電力制御コマンドが前記ダウンリンク制御情報メッセージに含まれる、上記Ｃ６４に記載の装置。
［Ｃ６８］
ワイヤレス通信用に構成された装置であって、前記装置が、
少なくとも１つのプロセッサと、
前記少なくとも１つのプロセッサに結合されたメモリと
を備え、
ここにおいて、前記少なくとも１つのプロセッサが、
ユーザ機器（ＵＥ）において、２つ以上のコロケートされていないノードに対するマルチフローアップリンク送信のために複数のアップリンク制御チャネル送信と１つまたは複数のアップリンク共有チャネル送信とを準備することと、
前記ＵＥにおいて、前記ＵＥが電力制限されていると決定することと、
前記複数のアップリンク制御信号送信にわたる電力割振りの適用が前記１つまたは複数のアップリンク共有チャネル送信にわたる前記電力割振りの適用よりも優先される優先順位付けに従って、前記ＵＥの前記電力割振りを適用することとを
を行うように構成される、
装置。
［Ｃ６９］
前記１つまたは複数のアップリンク共有チャネル送信のうちのアップリンク制御情報を搬送する送信にわたる前記電力割振りを、前記１つまたは複数のアップリンク共有チャネルのうちのアップリンク制御情報を搬送しない他の送信にわたる前記電力割振りを適用することよりも上の優先順位で適用することによって、前記１つまたは複数のアップリンク共有チャネル送信にわたる前記ＵＥの前記電力割振りの前記適用がさらに優先される、上記Ｃ６８に記載のコンピュータプログラム製品。
［Ｃ７０］
前記複数のアップリンク制御信号送信、前記１つまたは複数のアップリンク共有チャネル送信、およびアップリンク制御情報を搬送する前記１つまたは複数のアップリンク共有チャネル送信にわたる前記ＵＥの前記電力割振りに前記優先順位を付けることが、前記ＵＥと通信するプライマリセルに対する送信に最も高い優先順位を割り当てる、上記Ｃ６９に記載のコンピュータプログラム製品。
［Ｃ７１］
前記複数のアップリンク制御信号送信、前記１つまたは複数のアップリンク共有チャネル送信、およびアップリンク制御情報を搬送する前記１つまたは複数のアップリンク共有チャネル送信にわたる前記ＵＥの前記電力割振りに前記優先順位を付けることが、前記複数のアップリンク制御信号送信、前記１つまたは複数のアップリンク共有チャネル送信、およびアップリンク制御情報を搬送する前記１つまたは複数のアップリンク共有チャネル送信にわたる前記電力割振りをスケール変更する、上記Ｃ６９に記載のコンピュータプログラム製品。
［Ｃ７２］
スケール変更する前記少なくとも１つのプロセッサの前記構成が、
均一、または
加重
のうちの１つである、上記Ｃ７１に記載のコンピュータプログラム製品。
［Ｃ７３］
ワイヤレス通信用に構成された装置であって、前記装置が、
少なくとも１つのプロセッサと、
前記少なくとも１つのプロセッサに結合されたメモリと
を備え、
ここにおいて、前記少なくとも１つのプロセッサが、
ユーザ機器（ＵＥ）により、前記ＵＥのマルチプルアップリンク能力を報告することと、
１つまたは複数のタイミング調整グループ（ＴＡＧ）に属する１つまたは複数のコロケートされていないノードについてのマルチフローアップリンク送信を前記ＵＥが行うための構成を受信することと
を行うように構成される、ここにおいて、前記１つまたは複数のコロケートされていないノードの各々が、前記１つまたは複数のＴＡＧのうちの別々のＴＡＧに属する、
装置。
［Ｃ７４］
ワイヤレス通信用に構成された装置であって、前記装置が、
少なくとも１つのプロセッサと、
前記少なくとも１つのプロセッサに結合されたメモリと
を備え、
ここにおいて、前記少なくとも１つのプロセッサが、
ユーザ機器（ＵＥ）により、前記ＵＥとマルチフロー通信する複数のコロケートされていないノードの各々についての複数のサウンディング基準信号（ＳＲＳ）を生成することと、
前記ＵＥにおいて、前記ＵＥがシングルアップリンク能力を有すると決定することと、
前記複数のコロケートされていないノードの各々についてのセル識別子（ＩＤ）を識別することと、
前記複数のＳＲＳのうちの２つ以上のＳＲＳの衝突が検出されたサブフレームにおいて前記セルＩＤにしたがって前記複数のＳＲＳの送信に優先順位を付けることと
を行うように構成される、
装置。
［Ｃ７５］
最も高い優先順位のセルＩＤを有する、前記複数のコロケートされていないノードのうちの優先されたセルについて前記複数のＳＲＳのうちの第１のＳＲＳを送信することと、
前記最も高い優先順位のセルＩＤよりも低い優先順位のセルＩＤを有する、前記複数のコロケートされていないノードのうちの残りのノードについて前記複数のＳＲＳのうちの残りのＳＲＳすべての送信を破棄することと
を行う、前記少なくとも１つのプロセッサの構成をさらに備える、上記Ｃ７４に記載の装置。
［Ｃ７６］
前記最も高い優先順位のセルＩＤが、前記複数のＳＲＳのうちの２つ以上のＳＲＳの衝突が検出された前記複数のコロケートされていないノードの中で最も低いセルＩＤに対応する、上記Ｃ７５に記載の装置。
［Ｃ７７］
ワイヤレス通信用に構成された装置であって、前記装置が、
少なくとも１つのプロセッサと、
前記少なくとも１つのプロセッサに結合されたメモリと
を備え、
ここにおいて、前記少なくとも１つのプロセッサが、
複数のコロケートされていないノードとのマルチフロー動作のために構成されたユーザ機器（ＵＥ）において、前記複数のコロケートされていないノードのうちのセカンダリノードについての電力ヘッドルーム報告を準備することと、ここにおいて、前記電力ヘッドルーム報告は、前記セカンダリノードに対するアップリンク制御信号送信に割り振られた第１の送信電力とアップリンク共有チャネル送信に割り振られた第２の送信電力とを引いた前記セカンダリノードのための前記ＵＥの最大許容送信電力を含む、
前記セカンダリノードに前記電力ヘッドルーム報告を送信することと
を行うように構成される、
装置。
［Ｃ７８］
前記セカンダリノードについての電力ヘッドルーム報告をコンパイルするために前記ＵＥを構成する無線リソース制御（ＲＲＣ）メッセージを受信する、前記少なくとも１つのプロセッサの構成をさらに備える、上記Ｃ７７に記載の装置。
［Ｃ７９］
前記第１の送信電力が、シングルコンポーネントキャリア（ＣＣ）上の１つまたは複数のアップリンク制御信号送信に割り振られたアップリンク制御信号送信電力を備え、前記第２の送信電力が、前記シングルＣＣ上の１つまたは複数のアップリンク共有チャネル送信に割り振られたアップリンク共有チャネル送信電力を備える、上記Ｃ７７に記載の装置。
［Ｃ８０］
ワイヤレス通信用に構成された装置であって、前記装置が、
少なくとも１つのプロセッサと、
前記少なくとも１つのプロセッサに結合されたメモリと
を備え、
ここにおいて、前記少なくとも１つのプロセッサが、
複数のコロケートされていないノードのうちのセカンダリノードにおいて、前記複数のコロケートされていないノードとのマルチフロー動作のために構成されたサービスされるユーザ機器（ＵＥ）から電力ヘッドルーム報告を受信することと、ここにおいて、前記電力ヘッドルーム報告は、前記セカンダリノードに対するアップリンク制御信号送信に割り振られた第１の送信電力とアップリンク共有チャネル送信に割り振られた第２の送信電力とを引いた前記ＵＥの最大許容送信電力を含む、
前記セカンダリノードにおいて、前記電力ヘッドルーム報告に基づいて前記サービスされるＵＥとの通信をスケジュールすることと
を行うように構成される、
装置。
［Ｃ８１］
前記第１の送信電力が、シングルコンポーネントキャリア（ＣＣ）上の１つまたは複数のアップリンク制御信号送信に割り振られたアップリンク制御信号送信電力を備え、前記第２の送信電力が、前記シングルＣＣ上の１つまたは複数のアップリンク共有チャネル送信に割り振られたアップリンク共有チャネル送信電力を備える、上記Ｃ８０に記載の装置。
［Ｃ８２］
ワイヤレス通信用に構成された装置であって、前記装置が、
少なくとも１つのプロセッサと、
前記少なくとも１つのプロセッサに結合されたメモリと
を備え、
ここにおいて、前記少なくとも１つのプロセッサが、
複数のコロケートされていないノードとのマルチフロー動作のために構成されたユーザ機器（ＵＥ）において、前記複数のコロケートされていないノードの１つまたは複数のセカンダリセルについての不連続受信（ＤＲＸ）サブフレームのセカンダリセットのための構成を受信することと、ここにおいて、１つまたは複数のセカンダリセルについてのＤＲＸサブフレームの前記セカンダリセットは、前記複数のコロケートされていないノードのプライマリセルのＤＲＸサブフレームのプライマリセットとは別である、
前記ＵＥにより、ＤＲＸサブフレームの前記セカンダリセットにしたがって前記ＵＥの１つまたは複数の無線をチューンアウェイすることと
を行うように構成される、
装置。
［Ｃ８３］
ＤＲＸサブフレームの前記プライマリセットとは別のＤＲＸサブフレームの前記セカンダリセットが、ＤＲＸサブフレームの前記プライマリセットの拡張である、上記Ｃ８２に記載の装置。
［Ｃ８４］
ＤＲＸサブフレームの前記セカンダリセットが、
ＤＲＸサブフレームの前記プライマリセットのサブセット、または
ＤＲＸサブフレームの前記プライマリセットのスーパーセット
のうちの１つを備える、上記Ｃ８３に記載の装置。